(57)【要約】【課題】個人情報の漏洩を簡便に防止できる封筒セットを提供する。【解決手段】透明フィルムにより形成される窓部２３を有する封筒本体２と、封筒本体２に挿入されるシート材３と、封筒本体２内に挿入されたシート材３の窓部２３に対応する位置に取り付けられる宛名表示シート４とを備えており、シート材３における宛名表示シート４の取り付け位置には、離型処理が施された離型処理部が形成されており、宛名表示シート４のシート材３側の一方面には、粘着材層４１が形成されており、宛名表示シート４は、粘着材層４１を介して前記離型処理部に剥離可能に取り付けられている封筒セット１。【選択図】図１
2010039181.tif 000002
【特許請求の範囲】
【請求項１】
透明フィルムにより形成される窓部を有する封筒本体と、
前記封筒本体に挿入されるシート材と、
前記封筒本体内に挿入された前記シート材の前記窓部に対応する位置に取り付けられる宛名表示シートとを備えており、
前記シート材における前記宛名表示シートの取り付け位置には、離型処理が施された離型処理部が形成されており、
前記宛名表示シートの前記シート材側の一方面には、粘着材層が形成されており、
前記宛名表示シートは、前記粘着材層を介して前記離型処理部に剥離可能に取り付けられている封筒セット。
【請求項２】
前記シート材は、シート材本体と、前記シート材本体及び前記宛名表示シートの間に介在される基台シートとを備えており、
前記離型処理部は、前記宛名表示シート側の前記基台シートの一方面に形成されており、
前記基台シートは、前記シート材本体に剥離可能に取り付けられている請求項１に記載の封筒セット。
【請求項３】
前記基台シートは、取り付けられる前記宛名表示シートに隣接して配置される印字可能な印字部を備えている請求項２に記載の封筒セット。
【発明の詳細な説明】
【技術分野】
【０００１】
本発明は、封筒セットに関する。
【背景技術】
【０００２】
近年、ダイレクトメールは有力な広告媒体として注目されており、ダイレクトメールの需要が拡大している。ダイレクトメールは、お知らせや案内等の各種情報が記載された書面を封筒に封入して消費者に送付するのが一般的である。この封筒の１つの形態として、封筒本体に窓部を有し、その窓部を透明なフィルムで覆うことで封筒本体の内部を見ることができる窓開き封筒が挙げられる。この窓開き封筒は、受取人住所氏名を書面に印字して封筒本体に封入することで、その受取人住所氏名が窓部から確認することが可能となる封筒である。
【０００３】
また、上述した封筒形態の他、封筒本体に窓部を設けないものもあり、このような封筒の場合には、封筒本体の表面に受取人住所氏名が記載される。
【発明の開示】
【発明が解決しようとする課題】
【０００４】
しかしながら、従来の封筒を用いた各種通知があった場合、住所や宛名などの個人情報が記載された封筒を廃棄する際には、廃棄物からの個人情報の漏洩を防ぐために、個人情報が記載された書面全体又は個人情報が記載された部分を手で細かくちぎったり、ハサミやシュレッダーで裁断したりしなければならないといった問題があった。特に、個人情報が特定できない程度にまで細かく断片化することは、極めて手間のかかる作業であった。
【０００５】
本発明は、このような問題を解決するためになされたものであって、個人情報の漏洩を簡便に防止できる封筒セットを提供することを目的とする。
【課題を解決するための手段】
【０００６】
本発明の上記目的は、透明フィルムにより形成される窓部を有する封筒本体と、前記封筒本体に挿入されるシート材と、前記封筒本体内に挿入された前記シート材の前記窓部に対応する位置に取り付けられる宛名表示シートとを備えており、前記シート材における前記宛名表示シートの取り付け位置には、離型処理が施された離型処理部が形成されており、前記宛名表示シートの前記シート材側の一方面には、粘着材層が形成されており、前記宛名表示シートは、前記粘着材層を介して前記離型処理部に剥離可能に取り付けられている封筒セットにより達成される。
【０００７】
また、この封筒セットにおいて、前記シート材は、シート材本体と、前記シート材本体及び前記宛名表示シートの間に介在される基台シートとを備えており、前記離型処理部は、前記宛名表示シート側の前記基台シートの一方面に形成されており、前記基台シートは、前記シート材本体に剥離可能に取り付けられていることが好ましい。
【０００８】
また、前記基台シートは、取り付けられる前記宛名表示シートに隣接して配置される印字可能な印字部を備えていることが好ましい。
【発明の効果】
【０００９】
本発明によれば、個人情報の漏洩を簡便に防止できる封筒セットを提供することができる。
【発明を実施するための最良の形態】
【００１０】
以下、本発明に係る封筒セット１について添付図面を参照して説明する。図１は、本発明に係る封筒セットの一例を示す説明図である。図２（ａ）は図１の要部拡大図であり、図２（ｂ）は、（ａ）のＡ−Ａ断面図である。本発明に係る封筒セット１は、図１及び図２に示すように、封筒本体２と、封筒本体２内に挿入されるシート材３と、シート材３に剥離可能に取り付けられている宛名表示シート４とを備えている。
【００１１】
封筒本体２は、一辺が開口する開封部２１を備えており、この開封部２１における封筒本体２表面側には、開封部２１を塞ぐための封緘片２２が連接するように設けられている。また、封筒本体２の表面側には、透明フィルム２５により形成される窓部２３が設けられている。この窓部２３は、封筒本体２の表面側の所定位置に形成された平面視矩形状の開口部２４を透明フィルム２５で覆うことにより形成されている。
【００１２】
封筒本体２内に挿入されるシート材３は、例えば、紙、合成樹脂等から形成されており、図１に示すように平面視矩形状の形状を有している。このシート材３は、お知らせや案内等の各種情報が記載可能なシート材本体３１と、このシート材本体３１に取り付けられる基台シート３２とを備えている。基台シート３２は、封筒本体２内に挿入されるシート材本体３１の一方面であって、封筒本体２に形成される窓部２３に対応する位置に設けられている。また、基台シート３２の一方面（シート材本体３１に接する面とは反対側の面）には、所定の離型処理が施された離型処理部３３が形成されており、これによって後述の宛名表示シート４が備える粘着材層４１が基台シート３２に強固に粘着しないように（剥離しやすいように）構成されている。ここで、離型処理とは、通常の離型処置として用いられる方法であれば特に制限されるものではないが、例えばシリコーン処理及びフッ素処理を例示できる。
【００１３】
宛名表示シート４は、封筒セット１の送り先の住所や氏名・名称を表面側に記載可能なシートであり、その裏面側には粘着材層４１が形成されている。この宛名表示シート４は、粘着材層４１を基台シート３２側に向けて、当該基台シート３２の離型処理部３３に取り付けられる。粘着材層４１を形成する粘着材としては、ゴム系、アクリル系、ウレタン系などの公知の感圧型粘着剤を例示することができ、このような粘着材を宛名表示シート４の裏面側に塗工することにより粘着材層４１は形成される。
【００１４】
本実施形態に係る封筒セット１は、シート材３から剥離可能な宛名表示シート４を備えているので、封筒セット１を受け取った受信者が封筒セット１を廃棄処分する場合に、宛名表示シート４のみを剥がしてこれを例えばシュレッダーによって裁断するだけで、簡単に個人情報の漏洩を防止することができ、封筒セット１全体をシュレッダーによって裁断する必要がない。
【００１５】
また、宛名表示シート４は、粘着材層４１が形成されている一方面をシート材３の離型処理部３３に貼り付けるように取り付けられているため、シート材３から宛名表示シート４を剥離する場合、図３に示すように、粘着材層４１は、その粘着力を維持したまま、剥離される宛名表示シート４に伴ってきれいに基台シート３２から剥がされることになる。したがって、封筒セット１の受信者は、自ら別途郵送しようとする郵便物において、送信者である自己を表示する送信者表示シートとして、剥離した宛名表示シート４を活用することが可能になる。なお、送信者である自己を表示する送信者表示シートとして、剥離した宛名表示シート４を活用する場合、宛名表示シート４に記載されている「様」という文字をはさみ等で除去する。
【００１６】
このように、本実施形態に係る封筒セット１は、シート材３から宛名表示シート４を剥離するという簡単な動作で、廃棄される封筒から受信者の個人情報の漏洩を効果的に防止できると共に、剥離した宛名表示シート４を受信者が送信者となる郵便物の送信者を示す送信者表示シートとして利用できるため、極めて利便性の高い封筒セット１である。
【００１７】
以上、本発明に係る封筒セット１の一実施形態について説明したが、本発明の具体的な構成は上記実施形態に限定されない。例えば、上記実施形態においては、シート材本体３１に設けた基台シート３２上に宛名表示シート４を剥離可能に取り付けるように構成しているが、基台シート３２を設けずに、シート材本体３１上に宛名表示シート４を剥離可能に取り付けてもよい。このような構成を採用する場合、宛名表示シート４が取り付けられるシート材本体３１の所定位置に離型処理を施す。
【００１８】
また、上記実施形態において、図４に示すように、基台シート３２をシート材本体３１に対して剥離可能に取り付けるようにしてもよい。基台シート３２をシート材本体３１に対して剥離可能に取り付ける方法としては、種々の方法が考えられるが、例えば、図４においては、シート材本体３１に取り付けられる基台シート３２の一方面に点状に接着材５を数ヶ所塗布し、シート材本体３１に接着するようにしている。或いは、基台シート３２が取り付けられるシート材本体３１の所定位置に離型処理を施すと共に、シート材本体３１に取り付けられる基台シート３２の一方面に粘着材層を形成するように構成してもよい。このように基台シート３２をシート材本体３１から剥離可能に構成した場合、宛名表示シート４が貼り付けられた状態のままの基台シート３２のみをシート材本体３１から分離して、宛名表示シート４を送信者表示シートとして利用するまでのあいだ保管できる一方、不要となった封筒本体２やシート材本体３１を処分することが可能になり、使用者の利便性をより一層高めることができる。
【００１９】
また、図４に示すように基台シート３２をシート材本体３１に対して剥離可能に取り付ける構造を採用する場合、図５に示すように、基台シート３２が、取り付けられる宛名表示シート４に隣接して配置される印字可能な印字部３４を備えるように構成してもよい。このような構成を採用した場合、封筒セット１の送信者である企業の名称やマーク、インターネット上のホームページのＵＲＬ、電話番号等の文字情報や図形情報を印字部３４に記載することが可能になり、宛名表示シート４に広告機能を付与することが可能になる。よって、たとえ、封筒セット１を受信した受信者が、受信時においてその封筒セット１に内包される情報に興味がなく、宛名表示シート４が取り付けられる基台シート３２をシート材本体３１から分離し、種々の情報が記載されたシート材本体３１や封筒本体２を廃棄処分した場合であっても、受信者の手元には、基台シート３２の印字部３４に記載された送信者に関する各種情報が残ることになる。この結果、後日、受信者が、既に廃棄した封筒セット１に内包される情報に興味を持った場合であっても、送信者である企業等に電話による問い合わせやインターネット上でのホームページ検索等のコンタクトをとることが可能になる。このように、宛名表示シート４に隣接して配置される印字部３４を備えるように基台シート３２を構成することは、費用を投じて各種情報が内包される封筒セット１を作成し送信する企業にとっても、送信者である企業の情報を受信者の手元に確実に残すことができるというメリットがある。
【００２０】
また、上記実施形態においては、図２に示すように、封筒セット１の送り先の住所や氏名・名称等を横書きで記載しているが、例えば、図６に示すように、住所や氏名等を縦書きで記載してもよい。
【００２１】
また、図７に示すように、宛名表示シート４に記載される封筒セット１の送り先の住所や氏名・名称等の情報をコード化したバーコードやＱＲコード（登録商標）等の情報識別子６を宛名表示シート４に記載してもよい。このような場合には、封筒セット１の郵送過程において、バーコードやＱＲコード（登録商標）等が第三者に読み取られないようにする必要があるが、図８に示すように、封筒本体２に形成される窓部２３の大きさや位置を適宜変更することにより、シート材３を封筒本体２内に挿入した際に、バーコードやＱＲコード（登録商標）等の情報識別子６が封筒セット１の外部から視認できないようにすることが好ましい。
【００２２】
また、封筒セット１を受信した受信者が、自己を表示する送信者表示シートとして、宛名表示シート４を葉書に貼り付ける場合もあるが、図９に示すように、葉書７における送り主の郵便番号欄７１は、葉書７の下部に表示されることが一般的である。よって、封筒セット１を受信した受信者が、自己を表示する送信者表示シートとして、宛名表示シート４を葉書７に貼り付ける場合を想定して、図１０に示すように、宛名表示シート４の上方に記載する郵便番号と同一の郵便番号８を宛名表示シート４の下方に記載してもよい。このような構成を採用する場合には、図１１に示すように、封筒本体２に形成される窓部２３の位置を適宜変更することにより、シート材３を封筒本体２内に挿入した際に、宛名表示シート４の下方に記載される郵便番号８が封筒セット１の外部から視認できないようにすることが好ましい。なお、上下双方に郵便番号が記載された宛名表示シート４を受信者が葉書７に貼り付けて郵送する場合には、宛名表示シート４の上方に記載されている郵便番号をはさみ等で切断除去すればよい。
【図面の簡単な説明】
【００２３】
【図１】本発明の一実施形態に係る封筒セットの一例を示す説明図である。
【図２】（ａ）は、図１に示す封筒セットの要部拡大平面図であり、（ｂ）は、（ａ）のＡ−Ａ断面図である。
【図３】図１に示す封筒セットの作動を説明する説明図である。
【図４】図１に示す封筒セットの変形例を示す要部拡大断面図である。
【図５】図１に示す封筒セットの変形例を示す要部拡大平面図である。
【図６】図１に示す封筒セットの変形例を示す要部拡大平面図である。
【図７】図１に示す封筒セットの変形例を示す要部拡大平面図である。
【図８】図７に示すシート材を封筒本体に挿入した状態を示す拡大平面図である。
【図９】葉書の構造を示す平面図である。
【図１０】図１に示す封筒セットの変形例を示す要部拡大平面図である。
【図１１】図１０に示すシート材を封筒本体に挿入した状態を示す拡大平面図である。
【符号の説明】
【００２４】
１  封筒セット
２  封筒本体
２１  開封部
２２  封緘片
２３  窓部
３  シート材
３１  シート材本体
３２  基台シート
３３  離型処理部
３４  印字部
４  宛名表示シート
４１  粘着材層
【図１】
2010039181.tif 000003
【図２】
2010039181.tif 000004
【図３】
2010039181.tif 000005
【図４】
2010039181.tif 000006
【図５】
2010039181.tif 000007
【図６】
2010039181.tif 000008
【図７】
2010039181.tif 000009
【図８】
2010039181.tif 000010
【図９】
2010039181.tif 000011
【図１０】
2010039181.tif 000012
【図１１】
2010039181.tif 000013